(57)【特許請求の範囲】
【請求項１】
ノズルを配列した複数のインクジェットヘッドを、前記ノズルの配列方向に沿って被記録媒体の搬送方向と直交する方向に千鳥状に配置した記録装置を用いて、前記ノズルより吐出したインク組成物からなる液滴を、前記被記録媒体上に着弾させて印刷するインクジェット記録方法に用いる、前記インク組成物の調製方法であって、
前記インクジェット記録方法は、複数の前記インクジェットヘッド間において、端部から少なくとも１つの前記ノズルより吐出する前記液滴を、前記被記録媒体上で互いに重なり合うように着弾させる工程を有し、
１つの前記インクジェットヘッドにおいて、前記端部から少なくとも１つの前記ノズルより吐出する前記液滴の容量は、それ以外の前記ノズルより吐出する前記液滴の容量よりも少ないものであり、
前記インク組成物を、自己分散型のカーボンブラックである顔料と、水溶性有機溶剤と、表面張力調整剤と、前記インク組成物の全量中６０〜１０質量％の水と、を含むようにし、
前記インク組成物の降伏値を、０．５０〜２．００ｍＰａとし、
前記インク組成物の剪断速度１０〜１０００ｓ-1に対する剪断粘度の変化率を、１．１０〜１．２０とする、インク組成物の調製方法。
【発明の詳細な説明】
【技術分野】
【０００１】
本発明は、インクジェット記録方法に関する。
【背景技術】
【０００２】
インクジェット記録方法は、インクジェットヘッドからインクの液滴を飛翔させ、紙等の被記録媒体に着弾させて印刷を行う記録方法である。近年のインクジェット記録技術の革新的な進歩により、これまで写真やオフセット印刷の分野であった高精細な画像記録（印刷）にもインクジェット記録方法を用いられるようになってきている。かかるインクジェット記録方法では、インクジェットヘッドにおけるインク吐出ノズルの目詰まりを抑制する必要がある。
このインクジェット記録方法の１種として、ライン状にインク吐出ノズルを配列したライン状ヘッドを用い、インク組成物による液滴（以下、「インク滴」ともいう。）の吐出速度及びインク滴の容量に対応した搬送速度で記録用紙を搬送しながら印刷を行う記録方法が知られている。この記録方法において、印刷された画像の解像度を高くするために、１直線上にノズルが配置されたインクジェットヘッドを、被記録媒体の幅方向に向けて、その全幅にわたって隙間なく互い違いに千鳥状に配列させることで、ヘッドのノズルのピッチを細かくしてドットピッチを小さくすることが提案されている。
【０００３】
上述のインクジェットヘッドを用いる場合、被記録媒体の搬送方向に隣接するヘッドを、その端部で一部を重複させて配列させることで、隙間のない印刷を可能にしている。しかしながら、１つのインクジェットヘッドにおいて、別のヘッドと重複した部分におけるインク吐出ノズルからのインク滴の吐出容量と、中央付近の重複していない部分におけるノズルからのインク滴の吐出容量とを等しくすると、重複した部分では２つのヘッドから二重にインク滴を吐出することになるため、画像にスジ状の濃度ムラが生じる。そこで、中央付近のインク吐出ノズルからの吐出容量を多くし、端部の重複した部分におけるノズルからの吐出容量を少なくすることで、そのような濃度ムラを抑制する手段がとられている。例えば、特許文献１では、隣接するヘッドチップとの間に所定数のノズルが重なり合う重複部が形成されたラインヘッドで印画媒体に印画するインクジェット印画システムにおいて、形成された画像の濃度を検出する濃度検出手段と、画像データを記憶する画像メモリと、前記画像メモリから読み出した画像データを前記ヘッドチップの重複部で形成された画像の濃度と、前記ヘッドチップの中央部で形成された画像の濃度との差に基づいて重複部におけるインクの吐出量を制御する制御手段と、を有することを特徴とするインクジェット印画システムが提案されている。
【先行技術文献】
【特許文献】
【０００４】
【特許文献１】特開２００７−１８５９０４号公報
【発明の概要】
【発明が解決しようとする課題】
【０００５】
特許文献１には、インクジェットヘッドの位置のズレによって重複したインク吐出ノズルがそのノズルの配列方向に僅かにずれて、ヘッド間のノズルの間隔がヘッド内のノズル間の間隔より広かったり、狭かったりした場合、画像印画システムで被記録媒体に印刷した結果、ヘッドの繋ぎ目で濃度ムラや白い筋の帯状ノイズが被記録媒体上に発生するという問題がある旨、記載されている。そして、そのような問題を、特許文献１に記載の上記システムが解決する、とされている。
【０００６】
しかしながら、本発明者らが、特許文献１に記載のシステムについて詳細に検討したところ、このようなシステムによっても、印刷された画像におけるスジ状の濃度ムラを解消するのには、まだ不十分であることを見出した。
【０００７】
本発明は、上記事情にかんがみてなされたものであり、インク吐出ノズルの目詰まりを抑制すると共に、印刷された画像におけるスジ状の濃度ムラを十分に解消するインクジェット記録方法を提供することを目的とする。
【課題を解決するための手段】
【０００８】
本発明者らは、上記課題を解決すべく鋭意検討を行った結果、インクジェット記録方法に用いるインク組成物のある特性を所定の数値範囲内に調整することで、インク吐出ノズルの目詰まりを抑制すると共に、印刷された画像におけるスジ状の濃度ムラを十分に解消できることを見出し、本発明を完成するに至った。
【０００９】
すなわち、本発明は、ノズルを配列した複数のインクジェットヘッドを、ノズルの配列方向に沿って被記録媒体の搬送方向と直交する方向に千鳥状に配置した記録装置を用いて、ノズルより吐出したインク組成物からなる液滴を、被記録媒体上に着弾させて印刷するインクジェット記録方法に用いる、前記インク組成物の調製方法であって、複数のインクジェットヘッド間において、端部から少なくとも１つのノズルより吐出する液滴を、被記録媒体上で互いに重なり合うように着弾させる工程を有し、１つのインクジェットヘッドにおいて、端部から少なくとも１つのノズルより吐出する液滴の容量は、それ以外のノズルより吐出する液滴の容量よりも少ないものであり、インク組成物の降伏値が、０．５０〜２．００ｍＰａであり、インク組成物の剪断速度１０〜１０００ｓ-1に対する剪断粘度の変化率が、１．１０〜１．２０であり、上記インク組成物を、自己分散型のカーボンブラックである顔料と、水溶性有機溶剤と、表面張力調整剤と、インク組成物の全量中６０〜１０質量％の水と、を含むようにし、上記インク組成物の降伏値を、０．５０〜２．００ｍＰａとし、上記インク組成物の剪断速度１０〜１０００ｓ-1に対する剪断粘度の変化率を、１．１０〜１．２０とする、インク組成物の調製方法を提供する。
【００１０】
このようなインクジェット記録方法によると、インク吐出ノズルの目詰まりを抑制すると共に、印刷された画像におけるスジ状の濃度ムラを十分に解消することができる。その要因は、現在のところ詳細には明らかになっていない。ただし、本発明者らはその要因の一部を下記のように考えている。要因はこれに限定されない。すなわち、目詰まりの抑制（吐出安定性）は、インク組成物の降伏値を２．００ｍＰａ以下にしたことが主因になっていると考えている。また、インク組成物の降伏値を０．５０ｍＰａ以上にすることを主因として、被記録媒体に着弾した液滴（インク滴）が過剰に拡張して滲むのを防止できるので、スジ状の濃度ムラを抑制することができると考えている。特に、液滴がインク吐出ノズルの配列方向にずれて着弾した場合、隣り合う液滴同士が滲みにより連結するとスジ状の濃度ムラが生成しやすく、特に被記録媒体が滲みを生じやすい上質紙や普通紙（吸収型メディア）である場合、その現象は顕著になる。本発明のインクジェット記録方法は、かかる場合であっても、そのスジ状の濃度ムラを抑制することができる。
【００１１】
本発明のインクジェット記録方法において、インク組成物の剪断速度１０〜１０００ｓ-1に対する剪断粘度の変化率（以下、「ＴＩ；チキソトロピックインデックス」という。）が、１．１０〜１．２０であると、濃度ムラの解消を更に有効且つ確実に実現することができるので好ましい。そのようなインク組成物としては、例えば、顔料と、水溶性有機溶剤と、表面張力調整剤と、インク組成物の全量中６０〜１０質量％の水とを含み、顔料が、自己分散型のカーボンブラックであるものであってもよい。
【図面の簡単な説明】
【００１２】
【図１】本発明の一例に係るインクジェット記録装置を模式的に示す概略図である。
【図２】本発明の一例に係るインクジェット記録装置の一部を概略的に示す斜視図である。
【図３】図２におけるＩＶ−ＩＶ線で切断して現れる断面を概略的に示す断面図である。
【図４】図２におけるインクジェットヘッドの配列とインク吐出ノズルの配列との関係を模式的に示す概略図である。
【発明を実施するための形態】
【００１３】
以下、必要に応じて図面を参照しつつ、本発明を実施するための形態（以下、単に「本実施形態」という。）について詳細に説明するが、本発明は下記本実施形態に限定されるものではない。本発明は、その要旨を逸脱しない範囲で様々な変形が可能である。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００１４】
本実施形態のインクジェット記録方法は、ライン状に複数のインク吐出ノズルを配列した複数のインクジェットヘッドを、インク吐出ノズルの配列方向に沿って千鳥状に配置した記録装置を用いて、インク吐出ノズルより吐出したインク組成物からなる液滴を、上記配列方向に直交する方向に沿って搬送される被記録媒体上に着弾させて印刷するインクジェット記録方法であって、上記直交する方向（被記録媒体の搬送方向）に隣接する複数のインクジェットヘッド間において、端部から少なくとも１つのインク吐出ノズルより吐出する液滴を、被記録媒体上で互いに重なり合うように着弾させる工程を有し、１つのインクジェットヘッドにおいて、端部から少なくとも１つのインク吐出ノズルより吐出する液滴の容量は、それ以外のインク吐出ノズルより吐出する液滴の容量よりも少ないものであり、インク組成物の降伏値が、０．５０〜２．００ｍＰａである。
【００１５】
ここで、本明細書における「降伏値」、「剪断粘度」、「ＴＩ」及び「残留粘度」は、下記のようにして導出される。まず、２０℃において、インク組成物の剪断速度を１０〜１０００ｓ-1の間で変化させて、そのときの剪断速度と剪断応力との関係、及び、剪断速度に対する剪断粘度の変化率を測定する。後者、すなわち剪断速度に対する剪断粘度の変化率が、ＴＩに相当する。また、剪断速度２００［１／ｓ］における剪断粘度を本明細書における剪断粘度とする。次いで、前者の測定データをもとに、下記式（３）で表されるＣａｓｓｏｎ式に当てはめて、降伏値及び残留粘度を求める。
√Ｓ＝ａ×√Ｄ＋ｂ    （３）
式（３）中、Ｓは剪断応力（単位：Ｐａ）を示し、Ｄは剪断速度（単位：１／秒）を示し、ａ及びｂは、それぞれ定数を示す。非ニュートン流体である液は、Ｃａｓｓｏｎ式に当てはまる場合が多く、かなり広い範囲で利用されている。傾きａの二乗は残留粘度、切片ｂの二乗は降伏値であり、それぞれ液の特性値として用いられる。Ｃａｓｓｏｎ式から明らかなとおり、残留粘度は剪断速度が無限大の時の粘度を示し、降伏値は剪断速度がゼロの時の応力を示す。
【００１６】
本実施形態のインクジェット記録方法に用いるインクジェット記録装置は、例えば、図１、２及び３に示す構造を有する。図１は、インクジェット記録装置の特に用紙搬送部を模式的に示す概略図、図２は、その記録装置の一部を概略的に示す斜視図である。図３は、図２におけるＩＶ−ＩＶ線で切断して現れる断面を概略的に示す断面図であり、例えば普通紙等の被記録媒体を搬送する様子を示す。
【００１７】
なお、本実施形態において、「普通紙」とは、一般に、パルプを主原料としプリンタなどに使用される紙をいい、ＪＩＳ Ｐ ０００１ 番号６１３９で定義されている。具体的には、例えば、上質紙、ＰＰＣコピー紙、非塗工印刷紙などを挙げることができる。普通紙は各社から市販されているものを利用することもでき、例えば、Ｘｅｒｏｘ  ４２００（Ｘｅｒｏｘ社製）、ＧｅｏＣｙｃｌｅ（Ｇｅｒｏｇｉａ−Ｐａｃｉｆｉｃ社製）等、種々のものを利用することができる。
【００１８】
まず、図１を参照しながら説明する。一般に高速の印刷が可能なライン型インクジェット記録装置１００は、普通紙等の被記録媒体１０１に、インク組成物の液滴を吐出し画像を記録するためのインクジェットヘッドユニット１９０と、インクジェットヘッドユニット１９０下方に被記録媒体１０１を搬送する搬送ベルト１３０と、被記録媒体１０１を収納した収納カセット１０４と、収納カセット１０４から被記録媒体１０１を給紙する給紙ローラ１０５と、被記録媒体１０１を搬送するための一対の搬送ローラ（ゲートローラ）１４０と、被記録媒体１０１を排出するための一対の排出ローラ１５０と、印刷された被記録媒体１０１を収納する排紙カセット１０６と、制御部１１１と、給紙される被記録媒体１０１の位置検出をする位置検出センサ１０９とを備えている。
【００１９】
インクジェットヘッドユニット１９０は、インクの種類に対応した複数のインクジェットヘッド１１０Ａ、１１０Ｂ、１１０Ｃ及び１１０Ｄ（「１１０Ａ〜Ｄ」と標記する。以下同様。ただし、図１に符号を示さない。）を備え、各インクジェットヘッドは、被記録媒体１０１の幅方向にわたって全幅に対応する多数のインク吐出ノズルをライン状に各々配列している、いわゆるラインヘッドで構成されている。
【００２０】
環状の搬送ベルト１３０は、被記録媒体１０１をインクジェットヘッドユニット１９０（印刷領域）まで搬送する。駆動ローラ１８０は、搬送ベルト１３０を駆動するものであり、従動ローラ１７０は、搬送ベルト１３０をインクジェットヘッドユニット１９０の吐出口に対向させながら従動するものである。駆動ローラ１８０は、制御部１１１により駆動制御されるモータ１１５により駆動する。また、給紙ローラ１０５は、収納カセット１０４内部の被記録媒体１０１を搬送ローラ１４０へ送り出すためのローラであり、制御部１１１により駆動制御されるモータ１１８により駆動する。
【００２１】
搬送ローラ１４０は、制御部１１１により駆動制御されるモータ１１６により駆動するローラユニットとしての駆動ローラ１４０Ａと、駆動ローラ１４０Ａに接触して従動する従動ローラ１４０Ｂとで構成している。排出ローラ１５０は、制御部１１１により駆動制御されるモータ１１７により駆動する駆動ローラ１５０Ａと、駆動ローラ１５０Ａに接触して従動する従動ローラ１５０Ｂとで排出ローラ対を構成している。
【００２２】
制御部１１１は、印刷処理（記録処理）や各種処理を実行するＣＰＵ（Central Processing Unit）、ホストコンピュータなどからインタフェイス（ＩＦ）を介して入力される印刷データ（記録データ）をデータ格納領域に格納するあるいは各種データを一時的に格納するＲＡＭ（Random Access Memory）、各部を制御する制御プログラム等を格納するＰＲＯＭ，ＥＥＰＲＯＭ（Electrically Erasable Programmable Read-Only Memory）などを備えている。
【００２３】
位置検出センサ１０９は、例えば発光素子の赤外発光ダイオードと受光素子のフォトトランジスタを組み合わせた反射型フォトセンサを用いる。位置検出センサ１０９は、給紙ローラ１０５と搬送ローラ１４０の間の用紙搬送部に配置され、搬送される被記録媒体１０１の先端位置（被記録媒体１０１の有無）を検出して、その検出信号は制御部１１１に入力される。制御部１１１では、被記録媒体１０１の先端位置の検出信号に基づいて搬送ローラ１４０の駆動制御処理が行われる。
【００２４】
被記録媒体１０１は制御部１１１からの駆動信号によりモータ１１６が駆動することにより回転する搬送ローラ１４０に到達し、被記録媒体１０１先端が搬送ローラ１４０に接触することにより被記録媒体１０１の先端面ならびに方向が整えられ、駆動ローラ１４０Ａと従動ローラ１４０Ｂとの間に挟まれて紙送りされ、搬送ベルト１３０上に送り出される。そして、搬送ベルト１３０によってインクジェットヘッドユニット１９０下方の印刷領域に搬送された被記録媒体１０１は、搬送ベルト１３０に搬送移動されながら、インクジェットヘッドユニット１９０のインク吐出ノズルからインク滴が吐出されて印刷データに基づく印刷が行われる。
【００２５】
被記録媒体１０１への印刷は、制御部１１１において、ＩＦを介してホストコンピュータから入手し、ＲＡＭに格納された印刷データを、ＣＰＵにおいて所定の処理を実行して、この処理データに基づいてヘッドドライバに駆動信号が出力され、ヘッドドライバを介して駆動信号がインクジェットヘッドユニット１９０に入力され、駆動信号が入力された静電アクチュエータの駆動により、これに対応するノズルから、被記録媒体１０１にインク滴が吐出されて印刷データに基づく画像の印刷（記録）が行われる。この際、制御部１１１は、上記特許文献１に示されるように、画像の濃度を検出して、その濃度差に基づいて、ノズルから吐出されるインクの量を制御してもよい。これにより、例えば、ノズルがその配列方向に僅かにずれた場合であっても、そのことに起因して生じるヘッドの繋ぎ目での濃度ムラや白い筋の帯状ノイズをある程度抑制することができる。
【００２６】
印刷が行われた被記録媒体１０１は、搬送ベルト１３０により排出部（排出ローラ１５０）に搬送される。搬送された被記録媒体１０１が排出ローラ１５０に到達すると、制御部１１１からの駆動信号によりモータ１１７が駆動されて駆動ローラ１５０Ａが回転し、駆動ローラ１５０Ａに接触して従動する従動ローラ１５０Ｂとの間に挟まれて紙送りされ、排紙カセット１０６に収納される。
【００２７】
次に、図２及び３を参照しながら説明する。インクジェット記録装置１００は、インクジェットヘッドユニット１９０と、このインクジェットヘッドユニット１９０に相対向して下方に設けられたプラテン部１２０と、プラテン部１２０の搬送方向上流側で印刷に供する被記録媒体１０１を供給する媒体供給部（図示せず）と、プラテン部１２０の搬送方向下流側で印刷された被記録媒体１０１を収容する媒体受容部（図示せず）と、媒体供給部から被記録媒体１０１をプラテン部１２０上に搬送して印刷後の被記録媒体１０１を媒体受容部まで搬送する搬送手段１６０とを具備する。
【００２８】
インクジェットヘッドユニット１９０は、ライン状にインク吐出ノズルを配列した、それぞれ複数のインクジェットヘッド１１０Ａ〜Ｄを被記録媒体１０１の搬送方向に直交する方向（幅方向、インク吐出ノズルの配列方向）に千鳥状に配置してライン印刷可能なものである。
インクジェットヘッド１１０Ａ〜Ｄのうち、インクジェットヘッド１１０Ａ及びＢは互いに同色の第１のインク組成物の液滴を吐出するものであり、インクジェットヘッド１１０Ｃ及びＤは、互いに同色の第２のインク組成物の液滴を吐出するものである。ただし、インクジェットヘッド１１０Ａ及びＢとインクジェットヘッド１１０Ｃ及びＤとは、互いに異なる色のインク滴を吐出するものであり、すなわち、第１のインク組成物と第２のインク組成物は互いに異なる色のインク組成物である。インクジェットヘッド１１０Ａ及びＢは、印刷した際に、第１のインク組成物が、被記録媒体１０１において幅方向のいずれの位置にも画像を形成できるように、搬送方向から見た場合に、互いに一部が重複するように配列されている。インクジェットヘッド１１０Ｃ及びＤも同様に配列されている。
【００２９】
図４は、搬送方向に隣接するインクジェットヘッド１１０Ａ及びＢの一部の配列とインク吐出ノズルの配列との関係を模式的に示した概略図である。インクジェットヘッド１１０Ａは、それぞれ２列に配列された複数のインク吐出ノズル１１２ＡＣ及び１１２ＡＥを有し、インクジェットヘッド１１０Ｂは、それぞれ２列に配列された複数のインク吐出ノズル１１２ＢＣ及び１１２ＢＥを有する。インク吐出ノズル１１２ＡＥ及び１１２ＢＥは、搬送方向に互いに重なるように配置されており、インク吐出ノズル１１２ＡＣ及び１１２ＢＣは、搬送方向に互いに重ならないように配置されている。なお、この図４では、搬送方向に互いに重なるインク吐出ノズルの数が、１つのインクジェットヘッドの１列のインク吐出ノズルについて２つであるが、その数は１つ以上であって、かつ搬送方向に互いに重ならないインク吐出ノズルを残すものであれば、特に限定されない。
【００３０】
プラテン部１２０は、被記録媒体１０１を搬送する搬送ベルト１３０を備え、その搬送ベルト１３０はプラテンベルトを兼ねるものである。搬送手段１６０は、搬送ベルト１３０の搬送方向上流側及び下流側にそれぞれ、被記録媒体１０１を上下から狭持するように対向した一対の搬送ローラ１４０及び排出ローラ１５０を備え、それらが搬送ベルト１３０と共に搬送手段１６０を構成する。搬送ベルト１３０は、その上に載置された被記録媒体１０１を搬送方向に搬送するよう、従動ローラ１７０及び駆動ローラ１８０の回動により動作する。
【００３１】
インクジェット記録装置１００に具備される上記以外の構成は、従来公知の構成であってもよい。
【００３２】
インクジェット記録装置１００の動作、すなわち、インクジェット記録方法は下記のとおりである。まず、搬送手段１６０、すなわち、搬送ベルト１３０、搬送ローラ１４０及び１５０を作動させて、被記録媒体１０１を媒体供給部からプラテン部１２０に向けて搬送方向に搬送する。被記録媒体１０１がインクジェットヘッド１１０Ａの下方まで搬送されたら、そのインクジェットヘッド１１０Ａのインク吐出ノズル１１２ＡＥ及び１１２ＡＣから、インク組成物の液滴を吐出し、飛翔させて、被記録媒体１０１の印刷面（上面）における画像を形成させるべき所望の位置に着弾させる。次に、被記録媒体１０１がインクジェットヘッド１１０Ｂの下方まで搬送されたら、そのインクジェットヘッド１１０Ｂのインク吐出ノズル１１２ＢＥ及び１１２ＢＣから、上記と同色のインク組成物の液滴を吐出し、飛翔させて、被記録媒体１０１の印刷面（上面）における画像を形成させるべき所望の位置に着弾させる。この際、インク吐出ノズル１１２ＡＥから吐出して着弾した液滴に重ね合わせるようにしてインク吐出ノズル１１２ＢＥから吐出した液滴を着弾させる。
【００３３】
スジ状の濃度ムラを抑制するために、インク吐出ノズル１１２ＡＣ及びインク吐出ノズル１１２ＢＣから吐出される液滴の容量（それぞれ１つのノズル当たり。以下同様。）は、インク吐出ノズル１１２ＡＥ及びインク吐出ノズル１１２ＢＥから吐出される液滴の容量よりも少なくなっている。好ましくは、インク吐出ノズル１１２ＡＣから吐出される液滴の容量と、インク吐出ノズル１１２ＢＣから吐出される液滴の容量とは同じ量であり、インク吐出ノズル１１２ＡＥから吐出される液滴の容量とインク吐出ノズル１１２ＢＥから吐出される液滴の容量は同じ量である。また、好ましくは、インク吐出ノズル１１２ＡＣから吐出される液滴の容量に対して、インク吐出ノズル１１２ＡＥから吐出される液滴の容量は１／２の量であり、インク吐出ノズル１１２ＢＣから吐出される液滴の容量に対して、インク吐出ノズル１１２ＢＥから吐出される液滴の容量は１／２の量である。これらにより、印刷された画像において、スジ状の濃度ムラを更に抑制することができる。
【００３４】
さらには、インク吐出ノズル１１２ＡＣ及び１１２ＡＥ、並びに、インク吐出ノズル１１２ＢＣ及び１１２ＢＥは、インクジェットヘッド１１０Ａ又はＢの配列方向における中心に近いノズルから、端部のノズルに向かって、徐々に液滴の容量を少なくしてもよい。あるいは、インク吐出ノズル１１２ＡＣとインク吐出ノズルＡＥとの境界付近、並びに、インク吐出ノズル１１２ＡＣとインク吐出ノズルＡＥとの境界付近で、液滴の容量に傾斜を設けてもよい。これらの場合も、搬送方向に並ぶ各インク吐出ノズルから吐出される液滴の総量を、配列方向で同じにすることにより、、画像におけるスジ状の濃度ムラを抑制することができる。特に、後者の場合、液滴を重ねる部分と重ねない部分との境界における液滴の容量変化を目立たせないことができるので、有効である。
【００３５】
次いで、被記録媒体１０１が引き続き、インクジェットヘッド１１０Ｃ及びＤの下方まで搬送されたら、上記インクジェットヘッド１１０Ａ及びＢと同様にして、インクジェットヘッド１１０Ｃ及びＤのインク吐出ノズルから、上記とは異なる色のインク組成物の液滴を吐出し、飛翔させて、被記録媒体１０１の印刷面（上面）における画像を形成させるべき所望の位置に着弾させる。この際、インク組成物は、その一部が被記録媒体１０１の印刷面上に直接着弾してもよく、少なくとも一部が上記インク組成物により形成された画像上に着弾する。こうして、被記録媒体１０１に画像を形成する。そして、画像が形成された（印刷された）被記録媒体１０１を、インクジェットヘッドユニット１９０の下流にある媒体受容部に更に搬送する。
【００３６】
このように、ある色のインク組成物を、その色の画像を形成すべき部分にまとめて印刷した後に、別のある色のインク組成物を、その色の画像を形成すべき部分にまとめて印刷するような方式を、本明細書において「色完結方式」という。
【００３７】
本実施形態におけるインクジェット記録方式は、インク組成物を微細なノズルより液滴として吐出して、その液滴を被記録媒体に着弾、付着させる方式である。具体的に以下に説明する。
【００３８】
第一の方法としては、静電吸引方式があり、この方式はノズルとノズルの前方に置いた加速電極の間に強電界を印可し、ノズルからインクを液滴状で連続的に噴射させ、その液滴が偏向電極間を飛翔する間に印刷情報信号を偏向電極に与えて記録する方式、あるいはインクの液滴を偏向することなく印刷情報信号に対応して噴射させる方式である。
第二の方法としては、小型ポンプで液状のインク組成物に圧力を加え、ノズルを水晶振動子等で機械的に振動させることにより、強制的にインクの液滴を噴射させる方式である。噴射された液滴は噴射と同時に帯電させ、その液滴が偏向電極間を飛翔する間に印刷情報信号を偏向電極に与えて記録する。
第三の方法は圧電素子を用いる方式であり、液状のインク組成物に圧電素子で圧力と印刷情報信号とを同時に加え、インクの液滴を噴射・記録させる方式である。
第四の方式は熱エネルギーの作用により液状のインク組成物を急激に体積膨張させる方式であり、インク組成物を印刷情報信号に従って微小電極で加熱発泡させ、その液滴を噴射・記録させる方式である。
以上のいずれの方式も本実施形態のインクジェット記録方法に採用することができる。
【００３９】
次に、本実施形態のインクジェット記録方法に用いられるインク組成物について、詳細に説明する。
【００４０】
本実施形態に係るインク組成物は、安全性、取り扱い上の観点から、インクの主溶媒が水である水性インク組成物であることが好ましく、水はイオン交換水、限外濾過水、逆浸透水、蒸留水等の純水又は超純水を用いることが好ましい。特に紫外線照射又は過酸化水素添加等により滅菌処理した水を用いることが、カビやバクテリアの発生を防止してインクの長期保存を可能にする点で好ましい。インクの適正な物性値（降伏値、各種粘度等）の確保、インクの安定性及び信頼性の確保という観点で、水はインク組成物中に６０質量％〜１０質量％含まれることが好ましい。
【００４１】
インク組成物に含まれる水の含有量を上記の範囲に規定することにより、普通紙中のセルロースに吸収される水分量が従来のインク組成物よりも少なくなる結果、コックリングやカールの原因と考えられているセルロースの膨潤を抑制することができる。以下、コックリング又はカールを抑制するのに適した性質を、それぞれ「コックリング適性」、「カール適性」ともいう。
【００４２】
水分含有量が１０質量％未満の場合は、被記録媒体への定着性が低下する場合がある。一方、水分含有量が６０質量％を超える場合は、従来の水性インク組成物と同様、インク吸収性が乏しい紙支持体の吸収層を有する被記録媒体に対して印刷する際に、コックリングやカールが発生しやすい。
【００４３】
インクの１０℃〜４０℃の温度範囲における粘度は、インクに含まれる着色剤、保湿剤、溶剤等の持つ温度特性に影響を受ける。これらの中では特に保湿剤の影響が大きく、保湿剤の種類や添加量、含有比によっては、１０℃での粘度がより上がりやすく、４０℃での粘度がより下がりやすい。なお、本明細書中では、１０℃〜４０℃での粘度差がより少ないことを、インクの温度による粘度特性に優れると表記する。
【００４４】
本実施形態に係るインク組成物は、カール、コックリング適性、裏抜け適性、目詰まり適性、インクの温度による粘度特性のバランスを適正に保つという観点から、下記（Ａ）、（Ｂ）及び（Ｃ）の保湿剤からなる群より選ばれる少なくとも１種の保湿剤を含むことが好ましい。ここで（Ａ）の保湿剤は、グリセリン、１，２，６−ヘキサントリオール、ジエチレングリコール、トリエチレングリコール、テトラエチレングリコール、ジプロピレングリコールからなる群より選ばれる少なくとも１種の化合物であり、（Ｂ）の保湿剤は、トリメチロールプロパン及びトリメチロールエタンからなる群より選ばれる少なくとも１種の化合物であり、（Ｃ）の保湿剤は、ベタイン類、糖類及び尿素類からなる群より選ばれ、かつ分子量が１００〜２００の範囲にある、少なくとも１種の化合物である。
【００４５】
（Ａ）の保湿剤は、特に目詰まりの抑制に対して効果があり、また、カール、コックリングの抑制に対しても効果を合わせ持つ物質である。しかしながら、その優れた被記録媒体への浸透性から裏抜け適性には劣る物質である。上述の効果をより有効かつ確実に奏する観点から、（Ａ）の保湿剤として、グリセリン及びトリエチレングリコールが好ましい。
（Ｂ）の保湿剤は、特に目詰まりの抑制に対して効果があり、また、浸透抑制効果を持つため裏抜け適性に優れる物質である。それらの効果をより有効かつ確実に奏する観点から、（Ｂ）の保湿剤として、トリメチロールプロパンが好ましい。
（Ａ）及び（Ｂ）の保湿剤は、その物質のもつ１０℃〜４０℃での粘度差が大きいという特性のため、インク組成物中の含有量が増えるに従って、温度による粘度特性に大きく影響し、インク組成物も１０℃〜４０℃での粘度差が大きくなる。
【００４６】
（Ｃ）の保湿剤は、カール適性、及びコックリング適性に優れる物質である。また、この保湿剤は、温度による粘度特性に優れる物質である。（Ｃ）の保湿剤として、具体的には、グリシンベタイン（分子量１１７、「トリメチルグリシン」ともいう。）、γ−ブチロベタイン（同１４５）、ホマリン（同１３７）、トリゴネリン（同１３７）、カルニチン（同１６１）、ホモセリンベタイン（同１６１）、バリンベタイン（同１５９）、リジンベタイン（同１８８）、オルニチンベタイン（同１７６）、アラニンベタイン（同１１７）、スタキドリン（同１８５）及びグルタミン酸ベタイン（同１８９）等のアミノ酸のＮ−トリアルキル置換体であるベタイン類、グルコース（同１８０）、マンノース（同１８０）、フルクトース（同１８０）、リボース（同１５０）、キシロース（同１５０）、アラビノース（同１５０）、ガラクトース（同１８０）及びソルビトール（同１８２）等の糖類、アリル尿素（同１００）、Ｎ，Ｎ−ジメチロール尿素（同１２０）、マロニル尿素（同１２８）、カルバミル尿素（同１０３）、１、１−ジエチル尿素（同１１６）、ｎ−ブチル尿素（同１１６）、クレアチニン（同１１３）及びベンジル尿素（同１５０）の尿素類が挙げられる。また、その分子量が１００未満であると、１０℃〜４０℃での粘度差が大きくなる傾向が強くなる。一方で、その分子量が２００以上であると、インク組成物中のその保湿剤の添加量に対して、インク組成物の粘度が増加しやすい。そのため、（Ｃ）の保湿剤の分子量は１００〜２００の範囲であることが好ましい。これらの中では、特にグリシンベタインがカール抑制効果が高いことから好ましく、アミノコート（旭化成ケミカルズ社製）等の市販品を使用することもできる。
【００４７】
これら保湿剤は、カール適性、コックリング適性、裏抜け適性、目詰まり適性の観点から、（Ａ）、（Ｂ）及び（Ｃ）の合計量でインク組成物中に１０質量％〜４０質量％含まれることが好ましい。
また、それらの保湿剤について、含有量の質量比は、それらの保湿剤による上記効果をバランス良く発揮させる観点から、（Ａ）：（Ｂ）：（Ｃ）＝（１．０）：（０．１〜１．０）：（１．０〜３．５）であると好ましい。なお、本実施形態に係るインク組成物が（Ａ）、（Ｂ）及び（Ｃ）からなる群より選ばれる２種の保湿剤を含む場合、上記と同様の観点から、それらの含有量の質量比は、（Ａ）：（Ｂ）で（１．０）：（０．１〜１．０）、（Ａ）：（Ｃ）で（１．０）：（１．０〜３．５）、（Ｂ）：（Ｃ）で（１．０）：（１．０〜３．５）であると好ましい。（Ａ）の群から選ばれる保湿剤（「（Ａ）の保湿剤」という。以下同様。）に対して、（Ｂ）の保湿剤の質量比を上記よりも多くすると、カール適性及びコックリング適性が低下し、少なくすると、裏抜け適性が低下する。（Ａ）の保湿剤に対して、（Ｃ）の保湿剤の質量比を上記よりも多くすると、目詰まり適性が低下し、少なくすると、特に画像濃度ムラの抑制が困難になり、カール適性及びコックリング適性が低下する。また、（Ｂ）の保湿剤に対して、（Ｃ）の保湿剤の質量比を上記よりも多くすると、目詰まり適性が低下し、少なくすると、画像濃度ムラの制御が困難となり、カール適性及びコックリング適性が低下する。
【００４８】
また、本実施形態に係るインク組成物は、インクジェットヘッドのノズル近傍での目詰まり防止やインクの被記録媒体への浸透性や滲みを適度に制御したり、インクの乾燥性を付与する目的で、水溶性有機溶剤を含有することが好ましい。水溶性有機溶剤は、上記観点から、１，２−アルカンジオール及び／又はグリコールエーテルを含有することが好ましい。１，２−アルカンジオールの具体的な例としては、１，２−オクタンジオール、１，２−ヘキサンジオール、１，２−ペンタンジオール、４−メチル−１，２−ペンタンジオールが挙げられる。また、グリコールエーテルの具体的な例としては、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｔ−ブチルエーテル、トリエチレングリコールモノ−ｎ−ブチルエーテル（以下、「ＴＥＧｍＢＥ」とも表記する。）、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテルが挙げられる。また、上記以外に、２−ピロリドン、Ｎ−メチル−２−ピロリドンなども水溶性有機溶剤として用いることができる。これらの水溶性有機溶剤は１種又は２種以上を用いることができ、インクの適正な物性値（降伏値、各種粘度等）の確保、印刷品質、信頼性の確保という観点で、インク組成物中に１質量％〜５０質量％含まれることが好ましい。
【００４９】
さらに、インクの被記録媒体への濡れ性を制御し、被記録媒体への浸透性やインクジェット記録方法における印字安定性を得るために、インク組成物は表面張力調整剤を含有することが好ましい。表面張力調整剤としては、アセチレングリコール系界面活性剤やポリエーテル変性シロキサン類が好ましい。アセチレングリコール系界面活性剤の例としては、サーフィノール４２０、４４０、４６５、４８５、１０４、ＳＴＧ（以上、エアープロダクツ社製、製品名）、オルフィンＰＤ−００１、ＳＰＣ、Ｅ１００４、Ｅ１０１０（以上、日信化学工業（株）製、製品名）、アセチレノールＥ００、Ｅ４０、Ｅ１００、ＬＨ（以上、川研ファインケミカル（株）製、製品名）が挙げられる。またポリエーテル変性シロキサン類としては、ＢＹＫ−３４６、３４７、３４８、ＵＶ３５３０（ビックケミー社製品）などが挙げられる。これらは、インク組成物中に１種又は２種以上用いることができ、インク組成物の表面張力を好ましくは２０ｍＮ／ｍ〜４０ｍＮ／ｍに調整するよう含まれ、好ましくはインク組成物中に０．１質量％〜３．０質量％含まれる。
【００５０】
また、必要に応じて、インク組成物に、ｐＨ調整剤、錯化剤、消泡剤、酸化防止剤、紫外線吸収剤、防腐・防カビ剤等を添加することもできる。ｐＨ調整剤としては、例えば、水酸化リチウム、水酸化カリウム、水酸化ナトリウム等の水酸化アルカリ及び／又はアンモニア、トリエタノールアミン、トリプロパノールアミン、ジエタノールアミン、ものエタノールアミン等のアルカノールアミンを用いることができる。特に、アルカリ金属の水酸化物、アンモニア、トリエタノールアミン、トリプロパノールアミンから選択される少なくとも１種類のｐＨ調整剤を含み、ｐＨ６〜１０に調整されることが好ましい。ｐＨがこの範囲を外れると、インクヘットプリンタを構成する材料等の悪影響を与え、目詰まり回復性が劣化する傾向にある。
【００５１】
本実施形態に用いられる顔料としては、公知の無機顔料及び有機顔料のいずれをも用いることができる。そのような顔料としては、例えば、カラーインデックスに記載されているピグメントイエロー、ピグメントレッド、ピグメントバイオレット、ピグメントブルー、ピグメントブラック等の顔料の他、フタロシアニン系、アゾ系、アントラキノン系、アゾメチン系、縮合環系等の顔料が例示できる。また、黄色４号、５号、２０５号、４０１号；橙色２２８号、４０５号；青色１号、４０４号等の有機顔料や、カーボンブラック、酸化チタン、酸化亜鉛、酸化ジルコニウム、酸化鉄、群青、紺青、酸化クローム等の無機顔料が挙げられる。顔料のカラーインデックスとしては、例えば、Ｃ．Ｉ．ピグメントイエロー１，３，１２，１３，１４，１７，２４，３４，３５，３７，４２，５３，５５，７４，８１，８３，９５，９７，９８，１００，１０１，１０４，１０８，１０９，１１０，１１７，１２０，１２８，１３８，１５０，１５３，１５５，１７４，１８０，１９８、Ｃ．Ｉ．ピグメントレッド１，３，５，８，９，１６，１７，１９，２２，３８，５７：１，９０，１１２，１２２，１２３，１２７、１４６，１８４、２０２、Ｃ．Ｉ．ピグメントバイオレッド１，３，５：１，１６，１９，２３，３８、Ｃ．Ｉ．ピグメントブルー１，２，１５，１５：１，１５：２，１５：３，１５：４，１６、Ｃ．Ｉ．ピグメントブラック１，７が挙げられ、１種又は２種以上の顔料をインク組成物に含んでもよい。
【００５２】
本実施形態に用いられる顔料は、各インク組成物における降伏値や各種粘度を、容易に適正な値にする観点から、樹脂分散型の態様であると好ましい。そのような態様の顔料は、高分子分散剤や界面活性剤などの分散剤と共に、ボールミル、ロールミル、ビーズミル、高圧ホモジナイザー、高速攪拌型分散機などを用いて水性媒体中に分散させた顔料分散液として、あるいは、顔料表面に分散性付与基（親水性官能基及び／又はその塩）を直接又はアルキル基、アルキルエーテル基、アリール基等を介して間接的に結合させ、分散剤なしで水性媒体中に分散及び／又は溶解する自己分散型顔料として加工され、水性媒体中に分散させた顔料分散液として、インク組成物中に配合されることが好ましい。これらの中でも、上記降伏値の関係を、より容易に適正な関係にする観点から、自己分散型顔料として加工され、水性媒体中に分散させた顔料分散液として用いられるものがより好ましい。
【００５３】
分散剤の例としては、高分子分散剤として、にかわ、ゼラチン、サポニンなどの天然高分子化合物やポリビニルアルコール類、ポリピロリドン類、アクリル系樹脂類（ポリアクリル酸、アクリル酸−アクリロニトリル共重合体、酢酸ビニル−アクリル酸共重合体、酢酸ビニル−アクリル酸エステル共重合体など）、スチレン−アクリル酸系樹脂類（スチレン−アクリル酸共重合体、スチレン−メタクリル酸共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−酢酸ビニルーアクリル酸共重合体など）、スチレン−マレイン酸系樹脂類、酢酸ビニル−脂肪酸ビニル−エチレン共重合体の樹脂類など及びこれらの塩などの合成高分子化合物が挙げられ、共重合体の構成はランダムタイプ、ブロックタイプ、グラフトタイプのいずれでもよい。
【００５４】
また、分散剤として用いられる界面活性剤としては、脂肪酸塩類、高級アルキルジカルボン酸塩、高級アルコール硫酸エステル塩類、高級アルキルスルホン酸塩などのアニオン性界面活性剤、脂肪酸アミン塩、脂肪酸アンモニウム塩などのカチオン性界面活性剤、ポリオオキシアルキルエーテル類、ポリオキシアルキルエステル類、ソルビタンアルキルエステル類などのノニオン性界面活性剤が挙げられる。
【００５５】
これらの分散剤の中で、特に水不溶性樹脂が好ましい。水不溶性樹脂として、具体的には、疎水性基を有するモノマーと親水性基（親水性官能基）を有するモノマーとのブロック共重合体樹脂からなり、少なくとも塩生成基を有するモノマーを含有しているもので、中和後に２５℃の水１００ｇに対する溶解度が１ｇ未満である樹脂が好ましい。疎水性基を有するモノマーとしては、例えば、メチルメタクリレート、エチルメタクリレート、イソプロピルメタクリレート、ｎ−ブチルメタクリレート、イソブチルメタクリレート、ｎ−アミルメタクリレート、イソアミルメタクリレート、ｎ−ヘキシルメタクリレート、２−エチルヘキシルメタクリレート、オクチルメタクリレート、デシルメタクリレート、ドデシルメタクリレート、オクタデシルメタクリレート、シクロヘキシルメタクリレート、フェニルメタクリレート、ベンジルメタクリレート、グリシジルメタクリレート等のメタクリル酸エステル類や酢酸ビニル等のビニルエステル類やアクリロニトリル、メタクリロニトリル等のビニルシアン化合物類、スチレン、α−メチルスチレン、ビニルトルエン、４−ｔ−ブチルスチレン、クロルスチレン、ビニルアニソール、ビニルナフタレン等の芳香族ビニル単量体類が挙げられる。これらは１種を単独で又は２種類以上を混合して用いることができる。親水性基を有するモノマーとしては、例えば、ポリエチレングリコールモノメタクリレート、ポリプロピレングリコールモノメタアクリレート、エチレングリコール・プロピレングリコールモノメタアクリレートが挙げられ、これらは１種を単独で又は２種類以上を混合して用いることができる。塩生成基を有するモノマーとしては、例えば、アクリル酸、メタクリル酸、スチレンカルボン酸、マレイン酸が挙げられ、これらは１種を単独で又は２種類以上を混合して用いることができる。さらに、片末端に重合性官能基を有するスチレン系マクロモノマー、シリコーン系マクロモノマーなどのマクロモノマーやその他のモノマーを併用することもできる。
【００５６】
この水不溶性樹脂は、エチルアミン、トリメチルアミン等の３級アミン、水酸化リチウム、水酸化ナトリウム、水酸化カリウム、アンモニア等のアルカリ中和剤で中和した塩として用いることが好ましく、重量平均分子量が１００００〜１５００００程度のものが、顔料を安定的に分散させる点で好ましい。
【００５７】
分散剤なしに水に分散及び／又は溶解が可能な自己分散型顔料は、例えば、顔料に物理的処理又は化学的処理を施すことで、分散性付与基又は分散性付与基を有する活性種を顔料の表面に結合（グラフト）させることによって製造される。物理的処理としては、例えば真空プラズマ処理が例示できる。また、化学的処理としては、例えば水中で酸化剤により顔料表面を酸化する湿式酸化法や、フェニル基及び２つ以上の親水性基を有する化合物を顔料表面に結合させることにより、フェニル基を介して親水性基を顔料表面に結合させる方法が例示できる。ここで、フェニル基及び２つ以上の親水性基を有する化合物として、例えば、ｐ−アミノ安息香酸、スルファニル酸が挙げられる。これらのうち、ｐ−アミノ安息香酸を用いる場合は、顔料表面にフェニル基を介してカルボキシル基を結合させ、スルファニル酸を用いる場合は、顔料表面にフェニル基を介してスルホキシル基又はその塩（例えば亜硝酸ナトリウム、亜硫酸ナトリウム由来のナトリウム塩）を結合させることとなる。これらのうち、フェニル基を介して表面に親水性基を結合した自己分散型顔料は、インク組成物の粘度の経時安定性、顔料の凝集により生じる沈降の経時安定性の観点から好ましい。
【００５８】
また、自己分散型顔料を含有するインク組成物は、通常の顔料を分散させるために含有させる前述のような分散剤を含む必要がないため、分散剤に起因する消泡性の低下による発泡がほとんどなく、吐出安定性に優れるインクを調製しやすい。また、分散剤に起因する大幅な粘度上昇が抑えられるので、顔料をより多く含有することが可能となり、印字濃度を十分に高めることが可能になる、あるいは、取り扱いが容易となる。このような利点があることから、自己分散型顔料は、特に高濃度を必要とするブラックインク組成物に有効であり、本実施形態のインク組成物として用いるブラックインク組成物には、分散剤なしに水に分散及び／又は溶解が可能な自己分散型顔料が少なくとも含まれることが好ましい。
【００５９】
本実施形態においては、次亜ハロゲン酸及び／又は次亜ハロゲン酸塩による酸化処理、過硫酸塩による酸化処理又はオゾンによる酸化処理により表面処理される自己分散型顔料が、高発色という点で好ましい。かかる自己分散型顔料は、上記表面処理により、表面に親水性基を有するものとなる。特に、１）インク組成物の配合時に粘度が上昇しやすくなることを抑制する、２）顔料の凝集により生じる沈降を抑制する、３）上記１）及び２）について経時安定性の面から満足させる観点から、過硫酸塩による酸化処理又はオゾンによる酸化処理により表面処理される自己分散型顔料がより好ましく、オゾンによる酸化処理により表面処理される自己分散型顔料が更に好ましい。また、自己分散型顔料として市販品を利用することも可能であり、そのような市販品として、マイクロジェットＣＷ−１（商品名；オリヱント化学工業（株）製）、ＣＡＢ−Ｏ−ＪＥＴ２００、ＣＡＢ−Ｏ−ＪＥＴ３００（以上商品名；キャボット社製）が例示できる。
【００６０】
また、これらの顔料は、インクの保存安定性やノズルの目詰まり防止等の観点から、インク中での体積平均粒子径が５０ｎｍ〜２００ｎｍの範囲であることが好ましい。これらの体積平均粒子径は、Ｍｉｃｒｏｔｒａｃ  ＵＰＡ１５０（マイクロトラック社製）や粒度分布測定機ＬＰＡ３１００（大塚電子（株）製）等の粒径測定によって得ることができる。
【００６１】
これらの顔料は、インク組成物中に６質量％〜２５質量％の範囲で含有されることが好ましい。その含有量が６質量％未満では印字濃度（発色性）が不充分である場合があり、また、２５質量％よりも大きいと、ノズルの目詰まりや、吐出の不安定を起こす等の信頼性に不具合が生じる場合がある。
【００６２】
本実施形態で用いられるインク組成物は、記録物への定着性を確保する観点から、樹脂エマルジョンを含むと好ましい。
樹脂エマルジョンは、最低造膜温度が２０℃未満の樹脂微粒子を含むことが好ましい。樹脂エマルジョンとして、最低造膜温度が２０℃未満の樹脂微粒子を含むものを用いることにより、通常２０℃以上である使用環境下の周囲温度において、樹脂微粒子が膜化するので、インク組成物の被記録媒体への定着性や耐擦性を向上させる。
ここで、最低造膜温度は、下記のようにして測定される。まず、温度勾配試験装置のステンレス板上に０．３ｍｍの厚さに樹脂エマルジョンを塗布する。塗布後、直ちにシリカゲルの入ったバスケットを板の上にのせ、透明プラスチック製の蓋で覆う。塗膜が乾燥した後、一様な連続皮膜部分と白濁している部分の境界部の温度を読み取り、最低造膜温度とする。
【００６３】
これらの樹脂エマルジョンとしては、アクリル系樹脂、メタクリル系樹脂、酢酸ビニル系樹脂、塩化ビニル系樹脂、スチレン−アクリル系樹脂からなる群より選択される１種又は２種以上の樹脂微粒子を含むものであることが好ましい。これらの樹脂はホモポリマーとして使用されてもよく、また、コポリマーして使用されてもよく、単相構造及び複相構造（コアシェル型）のいずれのものも使用できる。
【００６４】
さらに、本実施形態で用いられるインク組成物に含まれる樹脂エマルジョンは、少なくともいずれかが、不飽和単量体の乳化重合によって得られた樹脂微粒子のエマルジョンの形態で、インク組成物中に配合されることが好ましい。樹脂微粒子を単独でインク組成物中に添加しても、該樹脂微粒子の分散が不十分となる場合があるため、インク組成物の製造上、エマルジョンの形態が好ましい。また、エマルジョンとしては、インク組成物の保存安定性の観点から、アクリル樹脂微粒子のエマルジョン、すなわちアクリルエマルジョンが好ましい。
樹脂微粒子のエマルジョン（アクリルエマルジョン等）は、公知の乳化重合法により得ることができる。例えば、不飽和単量体（不飽和ビニルモノマー等）を、重合開始剤及び界面活性剤を存在させた水中において乳化重合することによって得ることができる。
【００６５】
不飽和単量体としては、例えば、一般に乳化重合で使用されるアクリル酸エステル単量体、メタクリル酸エステル単量体、芳香族ビニル単量体、ビニルエステル単量体、ビニルシアン化合物単量体、ハロゲン化単量体、オレフィン単量体、ジエン単量体が挙げられる。
【００６６】
不飽和単量体として、さらに具体的には、メチルアクリレート、エチルアクリレート、イソプロピルアクリレート、ｎ−ブチルアクリレート、イソブチルアクリレート、ｎ−アミルアクリレート、イソアミルアクリレート、ｎ−へキシルアクリレート、２−エチルへキシルアクリレート、オクチルアクリレート、デシルアクリレート、ドデシルアクリレート、オクタデシルアクリレート、シクロへキシルアクリレート、フェニルアクリレート、ベンジルアクリレート、グリシジルアクリレート等のアクリル酸エステル；メチルメタクリレート、エチルメタクリレート、イソプロピルメタクリレート、ｎ−ブチルメタクリレート、イソブチルメタクリレート、ｎ−アミルメタクリレート、イソアミルメタクリレート、ｎ−ヘキシルメタクリレート、２−エチルヘキシルメタクリレート、オクチルメタクリレート、デシルメタクリレート、ドデシルメタクリレート、オクタデシルメタクリレート、シクロヘキシルメタクリレート、フェニルメタクリレート、ベンジルメタクリレート、グリシジルメタクリレート等のメタクリル酸エステル；酢酸ビニル等のビニルエステル；アクリロニトリル、メタクリロニトリル等のビニルシアン化合物；塩化ビニリデン、塩化ビニル等のハロゲン化単量体；スチレン、α−チルスチレン、ビニルトルエン、４−ｔ−ブチルスチレン、クロルスチレン、ビニルアニソール、ビニルナフタレン等の芳香族ビニル単量体；エチレン、プロピレン等のオレフィン；ブタジエン、クロロプレン等のジエン；ビニルエーテル、ビニルケトン、ビニルピロリドン等のビニル単量体；アクリル酸、メタクリル酸、イタコン酸、フマール酸、マレイン酸等の不飽和カルボン酸；アクリルアミド、メタクリルアミド、Ｎ，Ｎ'−ジメチルアクリルアミド等のアクリルアミド類；２−ヒドロキシエチルアクリレート、２−ヒドロキシプロピルアクリレート、２−ヒドロキシエチルメタクリレート、２−ヒドロキシプロピルメタクリレート等の水酸基含有単量体が挙げられる。これらは１種を単独又は２種以上を混合して用いられる。
【００６７】
また、重合可能な二重結合を２つ以上有する架橋性単量体も、不飽和単量体として使用することができる。重合可能な二重結合を２つ以上有する架橋性単量体の例としては、ポリエチレングリコールジアクリレート、トリエチレングリコールジアクリレート、１，３−ブチレングリコールジアクリレート、１，４−ブチレングリコールジアクリレート、１，６−ヘキサンジオールジアクリレート、ネオペンチルグリコールジアクリレート、１，９−ノナンジオールジアクリレート、ポリプロピレングリコールジアクリレート、２，２'−ビス（４−アクリロキシプロピロキシフェニル）プロパン、２，２'−ビス（４−アクリロキシジエトキシフェニル）プロパン等のジアクリレート化合物；トリメチロールプロパントリアクリレート、トリメチロールエタントリアクリレート、テトラメチロールメタントリアクリレート等のトリアクリレート化合物；ジトリメチロールテトラアクリレート、テトラメチロールメタンテトラアクリレート、ペンタエリスリトールテトラアクリレート等のテトラアクリレート化合物；ジペンタエリスリトールヘキサアクリレート等のヘキサアクリレート化合物；エチレングリコールジメタクリレート、ジエチレングリコールジメタクリレート、トリエチレングリコールジメタクリレート、ポリエチレングリコールジメタクリレート、１，３−ブチレングリコールジメタクリレート、１，４ブチレングリコールジメタクリレート、１，６−ヘキサンジオールジメタクリレート、ネオペンチルグリコールジメタクリレート、ジプロピレングリコールジメタクリレート、ポリプロピレングリコールジメタクリレート、ポリブチレングリコールジメタクリレート、２，２'−ビス（４−メタクリロキシジエトキシフェニル）プロパン等のジメタクリレート化合物；トリメチロールプロパントリメタクリレート、トリメチロールエタントリメタクリレート等のトリメタクリレート化合物；メチレンビスアクリルアミド；ジビニルベンゼンが挙げられる。これらは１種を単独で又は２種以上を混合して用いられる。
【００６８】
また、乳化重合の際に使用される重合開始剤及び界面活性剤の他に、連鎖移動剤、さらには中和剤等も常法に準じて使用してよい。特に中和剤としては、アンモニア、無機アルカリの水酸化物、例えば、水酸化ナトリウムや水酸化カリウムが好ましい。
【００６９】
本実施形態において、樹脂エマルジョンは、インク組成物のインクジェット適性物性値、信頼性（目詰まりや吐出安定性等）、定着性等をより有効に得る観点から、インク組成物中の樹脂微粒子が１質量％〜１０質量％の範囲となるよう、含有されることが好ましい。
【００７０】
インク組成物に含まれる樹脂エマルジョンの体積平均粒子径は、インク組成物中における樹脂微粒子の分散安定性の観点から、２０ｎｍ〜２００ｎｍであることが好ましい。
【００７１】
本実施形態のインクジェット記録方法では、インク組成物の降伏値が０．５０〜２．００ｍＰａであり、０．７０〜２．００ｍＰａであると好ましい。降伏値が０．５０ｍＰａを下回ると、印刷された画像におけるスジ状の濃度ムラを十分に解消するのが困難となる。一方、降伏値が２．０ｍＰａを超えると、インク吐出ノズルの目詰まりを抑制するのが困難となる。インク組成物の降伏値を上記範囲内に調整するには、インク組成物に含まれる顔料やその他の固形分の濃度を制御する方法、顔料の種類を代える方法、水と水溶性有機溶剤との含有比を制御する方法が挙げられる。その他、インク組成物の降伏値が上述の範囲に入るように調整するには、インク組成物中に、界面活性剤、分散剤、レオロジー調整剤を添加したり、その含有量を調整したりする方法が挙げられる。レオロジー調整剤は、例えばコロイダルシリカ等の構造粘性を発現する無機系の微粒子、あるいは、変性ウレア及びウレア変性ウレタン等の溶剤に不溶若しくは難溶である成分を含むものである。レオロジー調整剤の市販品としては、例えば、ビックケミー社製のレオロジーコントロール剤（製品名「ＢＹＫ−４０５」、「ＢＹＫ−４２０」、「ＢＹＫ−４２５」、「ＢＹＫ−４２８」など）が挙げられる。
【００７２】
本実施形態のインクジェット記録方法では、上記降伏値と同様の観点から、インク組成物のＴＩが１．１０〜１．２０であると好ましく、１．１１〜１．２０であるとより好ましい。インク組成物のＴＩを上記範囲内に調整する方法としては、上記降伏値の調整と同様の方法が挙げられる。
【００７３】
本実施形態のインクジェット記録方法によると、インク吐出ノズルの目詰まりを抑制すると共に、印刷された画像におけるスジ状の濃度ムラを十分に解消することができる。特に、ブラックインク組成物を用いて印刷する場合、そのスジ状の濃度ムラをより有効かつ確実に抑制することができる。
【００７４】
本実施形態においては、ラインプリンタを用いたいわゆる色完結方式によって、第１及び第２のインク組成物を印刷する。色完結方式では、被記録媒体１０１とインクジェットヘッド１１０Ａ及びＢとを相対的に１パスで移動させ、かつ同色を複数打ちしない構成となる。これにより、１）高速化が容易となる、２）複数打ち用のヘッド又はノズル列が不要となり、インクジェットヘッド及びそのユニットの小型化、軽量化及び低コスト化が可能となる、という利点を有する。
【００７５】
本実施形態の記録物は、上記インクジェット記録方法によって記録が行われて得られるものである。この記録物は、本実施形態に係るインクジェット記録方法により得られることにより、印刷された画像におけるスジ状の濃度ムラを十分に解消することができる。また、本実施形態の記録物は、インク吐出ノズルの目詰まりが抑制されており、定着性低下も抑制できるため、インク組成物が所望のとおりに被記録媒体に着弾し、ドット抜けなどの少ない画像が形成された記録物となる。また、この記録物は、インクの安全性、安定性に優れ、種々の被記録媒体について、使用温度によらず、常に同等の記録品質を実現すると共に、普通紙について、優れたカール適性、コックリング適性、裏抜け適性、両面印刷適性を有する。
【００７６】
以上、本発明を実施するための形態について説明したが、本発明は上記本実施形態に限定されるものではない。本発明は、その要旨を逸脱しない範囲で様々な変形が可能である。例えば、上述の本実施形態では、個々のインクジェットヘッドにおけるインク吐出ノズルは、２列に配列されてるが、その列の数は１列であってもよく、３列以上であってもよい。また、上述の本実施形態では、インク吐出ノズルの並びが、搬送方向においても列をなしていたが、千鳥状に並んでいてもよい。
【００７７】
また、上記本実施形態では２色のインク組成物を用いるインクジェット記録方法について説明したが、１色のみのインク組成物を用いてもよく、３色、４色、５色、６色等、３色以上のインク組成物を用いてもよい。１色のみのインク組成物を用いる場合、インクジェットヘッド１１０Ａ及びＢのみが備えられ、インクジェットヘッド１１０Ｃ及びＤは備えられていなくてもよい。３色以上のインク組成物を用いる場合、インクジェットヘッド１１０Ｄの搬送方向下流側に、各色毎に複数のインクジェットヘッドが、インクジェットヘッド１１０Ａ及びＢと同様の並びで配置されるのが好ましい。
【実施例】
【００７８】
以下、実施例を用いて本実施形態を更に詳細に説明するが、本実施形態はこれらの実施例に限定されるものではない。
【００７９】
［着色剤の準備］
〔過硫酸塩による酸化処理により親水性基を結合した自己分散型顔料〕
（顔料分散液Ｋ１）
カーボンブラックであるカラーブラックＳ１７０（商品名、デグサ社製）１５０ｇを２Ｎ過硫酸ナトリウム水溶液３Ｌ中に添加し、温度６０℃、攪拌速度１ｓ-1で１０時間攪拌混合して酸化処理した。酸化したカーボンブラックに対して、限外濾過膜（旭化成（株）製、商品名「ＡＨＰ−１０１０」）にて残塩分離処理を施した。その後、水酸化ナトリウム水溶液を添加してｐＨ８に調整した。次いで、余剰の塩類の除去精製と水分除去による濃縮とを行うため、再度限外濾過膜にて処理を施した。この際、処理後の水溶液においてカーボンブラックの濃度が２０質量％になるように調整した。こうして、ブラック顔料分散液ＫＡを調製した。
【００８０】
［インク組成物の調製］
表１に示す割合で各成分を混合し、孔径１０μｍのメンブランフィルターにて濾過して、各インク組成物を調製した。ただし、表１中に示す添加量は全て質量％の濃度として表されており、イオン交換水の「残量」とは、インク組成物の全量が１００質量％となるようにイオン交換水を加えることを意味する。
【００８１】
【表１】
0005902376.tif 000002
【００８２】
＜インク組成物の評価＞
（試験１）剪断粘度、ＴＩ、降伏値及び残留粘度
得られた各インク組成物を、Ａｎｔｏｎ  Ｐａａｒ社製の粘弾性測定装置（商品名「Ｐｈｙｓｉｃａ  ＭＣＲ３０１」）に装着されたコーンプレート（直径７５ｍｍ、角度１°）に充填して、２０℃における剪断速度（１０〜１０００ｓ-1）に対する剪断粘度を測定した。剪断速度２００［１／ｓ］における剪断粘度を、本実施例における剪断粘度として記録した。またｍ剪断速度に対する剪断粘度の変化率からＴＩを導出し、上記のようにして測定した値をＣａｓｓｏｎ式に当てはめて、降伏値及び残留粘度を求めた。
結果を表２に示す。
【００８３】
（試験２）スジ状の濃度ムラ
図１〜４に示すのと同様のインクジェットプリンタ（ただし、インク組成物をインクジェットヘッド１１０Ａ及びＢのみに充填）を用いて、下記の２種類の普通紙に、２５％ｄｕｔｙドットスクリーンの印刷を行った。被記録媒体として、普通紙であるゼロックスＰ（富士ゼロックス社製）、Ｘｅｒｏｘ４２００（Ｘｅｒｏｘ  Ｃｏ．社製）を用いた。印刷した記録物を一般環境下で１時間放置した後、インク吐出ノズルの互いに重なる部分に対応する位置の画像の状態を目視にて観察した。評価基準は下記のとおりとした。
Ａ：重なる部分に対応する位置の画像にスジ状の濃度ムラが全く認められない。
Ｂ：重なる部分に対応する位置の画像にスジ状の濃度ムラが僅かに認められるが、許容範囲内である。
Ｃ：重なる部分に対応する位置の画像にスジ状の濃度ムラが認められ、許容範囲外である。
結果を表２に示す。
【００８４】
（試験３）目詰まり（吐出安定性）の評価
（試験２）と同様のインクジェットプリンタを用いて、４０℃の環境においてベタ画像及び罫線が含まれるパターンを連続的に印刷した。印刷中にドット抜けによる画像の乱れが認められた場合、その度に復帰動作（ノズルクリーニング）行った。連続１００ページ印刷して、ノズルクリーニングの回数を計測した。評価基準は下記のとおりとした。
Ａ：１回もノズルクリーニングを行わなかった。
Ｂ：１〜２回、ノズルクリーニングを行った。
Ｃ：３回以上、ノズルクリーニングを行った。
結果を表２に示す。
【００８５】
（試験４）発色性（光学濃度（ＯＤ値））
（試験２）と同様のインクジェットプリンタを用いて、１００％Ｄｕｔｙパッチパターン（ベタ画像）の印刷を行った。被記録媒体として、普通紙であるゼロックスＰ（富士ゼロックス社製）、Ｘｅｒｏｘ  ４２００（Ｘｅｒｏｘ  Ｃｏ．社製）を用いた。その画像のＯＤ値をグレタグ濃度計（グレタグマクベス社製）を用いて５回（５箇所で）測定した。そして、各インク組成物ごとの相加平均値を求め、算出した平均ＯＤ値につき、以下の判断基準で光学濃度値（ＯＤ値）を評価した。
Ａ：１．２以上
Ｂ：１．１以上〜１．２未満
Ｃ：１．１未満
結果を表２に示す。
【００８６】
【表２】
0005902376.tif 000003
【符号の説明】
【００８７】
１００…インクジェット記録装置、１０１…被記録媒体、１０４…収納カセット、１０５…給紙ローラ、１０６…排紙カセット、１０９…位置検出センサ、１１０Ａ、１１０Ｂ、１１０Ｃ、１１０Ｄ…インクジェットヘッド、１１０ＡＣ、１１０ＡＥ、１１０ＢＣ、１１０ＢＥ…インク吐出ノズル、１１１…制御部、１１５、１１６、１１７、１１８…モータ、１２０…プラテン部、１３０…搬送ベルト、１４０…搬送ローラ、１４０Ａ、１５０Ａ、１８０…駆動ローラ、１４０Ｂ、１５０Ｂ、１７０…従動ローラ、１５０…排出ローラ、１６０…搬送手段、１９０…インクジェットヘッドユニット。
【図１】
0005902376.tif 000004
【図２】
0005902376.tif 000005
【図３】
0005902376.tif 000006
【図４】
0005902376.tif 000007